(57)【要約】【課題】クロノグラフ指針が分秒二つからなる場合に確実にセルフアラインメント機能を有し得ること。【解決手段】クロノグラフ時計のクロノグラフ機構２は、分ハートカム及び秒ハートカムと、リセットボタンの押圧に応じて回動される復針伝えレバー構造体２０と、復針レバー回動軸５１と同心の被動歯車５２並びに復針レバー回動軸の両側に延び被動歯車の回動に応じて復針レバー回動軸のまわりで回動される一対の復針レバー部５３，５４であって先端部に分ハンマー５５及び秒ハンマー５６を備えたものを具備する復針レバー構造体５０と、復針伝えレバー構造体の回動に応じて回動され被動歯車を回動させる駆動歯車６１を備えた復針レバー作動機構６０とを有し、復針レバー構造体５０の復針レバー回動軸５１はその回動中心軸線Ｃ５１が揺動可能で、揺動回動軸５１の揺動を許容する弾性的な復針レバー押さえ手段７０が設けられている。【選択図】図５
2010261815.tif 000002
【特許請求の範囲】
【請求項１】
分ハートカム及び秒ハートカムと、
リセットボタンの押圧に応じて回動される復針伝えレバー構造体と、
中心軸線のまわりで回動可能な復針レバー回動軸、該復針レバー回動軸と同心の被動歯車並びに復針レバー回動軸の両側に延び被動歯車の回動に応じて復針レバー回動軸のまわりで回動される一対の復針レバー部であって先端部の側面に分及び秒ハートカムを叩いてクロノグラフ分針及びクロノグラフ秒針を帰零させる分ハンマー及び秒ハンマーを備えたものを具備する復針レバー構造体と、
前記復針伝えレバー構造体の回動に応じて回動され被動歯車を回動させる駆動歯車を備えた復針レバー作動機構と
を有するクロノグラフ機構であって、
復針レバー構造体の復針レバー回動軸はその回動中心軸線が揺動可能な揺動回動軸からなり、
リセットボタンの押圧に応じて復針伝えレバー構造体及び復針レバー作動機構を介して被動歯車が回動された際に、分ハンマー及び秒ハンマーのうちの一方のハンマーが対応する分ハートカム又は秒ハートカムに当接し他方のハンマーと対応する分ハートカム又は秒ハートカムとの間に小間隙が残る場合に、当接した前記一方ハンマーが対応するハートカムを押す力の反力と駆動歯車が噛合部において被動歯車に加える回動力との合力の作用下で前記揺動回動軸が揺動されて前記他方のハンマーと対応するハートカムとの間の前記小間隙がなくなるように、前記揺動回動軸の揺動を許容する弾性的な復針レバー押さえ手段を更に有する
クロノグラフ機構。
【請求項２】
前記弾性的な復針レバー押さえ手段が、揺動された前記揺動回動軸を非揺動位置に復帰させる作用をする請求項１に記載のクロノグラフ機構。
【請求項３】
前記弾性的な復針レバー押さえ手段が、基端部で駆動歯車の回動軸に取付けられたフォーク状の揺動回動軸押さえからなり、フォークの腕部を構成する一対のアーム部が弾性を有する請求項１又は２に記載のクロノグラフ機構。
【請求項４】
前記揺動回動軸の揺動は該回動軸の回動中心軸線が受部材に対して傾動することからなる請求項１から３までのいずれか一つの項に記載のクロノグラフ機構。
【請求項５】
復針伝えレバー構造体が、リセットボタンの押圧に応じて回動される第一の復針伝えレバーと該第一の復針伝えレバーの回動に応じて回動される第二の復針伝えレバーとを有する請求項１から４までのいずれか一つの項に記載のクロノグラフ機構。
【請求項６】
第二の復針伝えレバーが扇形歯車を備え、復針レバー作動機構の駆動歯車が該扇形歯車に噛合している請求項５に記載のクロノグラフ機構。
【請求項７】
前記リセットボタンがクロノグラフ時計の４時の位置にあり、秒ハートカムが時計の中心にあって、分ハートカムが時計の８時から９時の間の位置にある請求項１から６までのいずれか一つの項に記載のクロノグラフ機構。
【請求項８】
請求項１から７までのいずれか一つの項に記載のクロノグラフ機構を備えたクロノグラフ時計。
【発明の詳細な説明】
【技術分野】
【０００１】
本発明はクロノグラフ機構及び該機構を備えたクロノグラフ時計に係る。
【背景技術】
【０００２】
クロノグラフ機構及び該機構を備えたクロノグラフ時計は周知であり（例えば、非特許文献１）、時分秒の表示を行うようにしたクロノグラフ時計１０１として、図７から図９に示した構造を有するものも、知られている（特許文献１）。
【０００３】
クロノグラフ時計１０１は、地板１１０、クロノグラフ地板１１１及びクロノグラフ受１１２を備え、香箱車の回転に伴う二番車及び三番車（いずれも図示せず）の回転に応じて、四番車１２１及び分車１２２が回転される。四番車１２１は四番かなで三番車の三番歯車（いずれも図示せず）に噛合し、四番車１２１と同心の分車１２２は分歯車１２２ａで三番車の三番かな（図示せず）に噛合している。
【０００４】
四番車１２１の四番真１２１ａに取付けられた秒伝え車１２９から秒クロノグラフ中間車１３５（図７）を介して秒クロノグラフ車１３０の秒クロノグラフ歯車１３１に回転が伝えられる。秒クロノグラフ車１３０は、クロノグラフ時計１０１の中心に位置する回転中心軸線ＰＣに沿って秒クロノグラフ真１３２を備え、該秒クロノグラフ真１３２には、クロノグラフ秒針１３３及び秒ハートカム１３４が取付けられる。秒クロノグラフ中間車１３５には中心ＰＣから３時側にズレた位置において秒車１２３が結合され、該秒車１２３の秒真１２３ａには小さい秒表示領域で動く小秒針の形態の秒針１２３ｂ（図９）が取付けられる。
【０００５】
分車１２２は、複数の一体的な同軸の歯車部（大歯車部）及びかな部（小歯車部）からなる第二日の裏車１２４（図７）を介して、第二分車１２５及び筒車１２６に連結され、第二分車１２５の筒状の真１２５ａには分針１２５ｂが取付けられ、これと同心の筒車１２６の大径筒状真１２６ａには時針１２６ｂが取付けられている。１１４はリュウズである。１１５は文字板１１６の日表示窓１１６ａを介して日付１１５ａが表示される日車である。
【０００６】
第二日の裏車１２４は、そのひとつの歯車部（図示せず）で分クロノグラフ中間車１４１ａに連結され、該分クロノグラフ中間車１４１ａは別の分クロノグラフ中間車１４１ｂを介して分クロノグラフ車１４０に連結されている。分クロノグラフ車１４０は、クロノグラフ時計１０１の回転中心ＰＣに対して時計の９時の方向に位置する回転中心軸線ＰＣＭに沿って分クロノグラフ真１４２を備え、該分クロノグラフ真１４２にはクロノグラフ分針１４３（図９）及び分ハートカム１４４が取付けられている。分クロノグラフ車１４０は、分クロノグラフ中間車１４１ｂに噛合した分クロノグラフ歯車１４５と分クロノグラフ真１４２との間に分クロノグラフ車クラッチリング（図示せず）を備え、該クラッチリングが時分発停レバー１５３によって規正されると、分クロノグラフ歯車１４５が回転しても分クロノグラフ真１４２は回転しない。
【０００７】
時クロノグラフ車１８０はクロノグラフ時計１０１の回転中心ＰＣに対して時計の６時の方向において中心軸線ＰＣ，ＰＣＭ間の距離と同程度の距離だけ中心軸線ＰＣから離れたところに位置する回転中心軸線ＰＣＨに沿って時クロノグラフ真１８２を備え、該時クロノグラフ真１８２にはクロノグラフ時針１８３及び時ハートカム１８４が取付けられている。時クロノグラフ車１８０は、時クロノグラフ中間車１８６の歯車部１８６ａ，１８６ｂを介して筒車１２６につながっている。時クロノグラフ車１８０は、時クロノグラフ中間車１８６の歯車部１８６ｂに噛合した時クロノグラフ歯車１８５と時クロノグラフ真１８２との間に時クロノグラフ車クラッチリング１８７を備え、該クラッチリング１８７が時分発停レバー１５３によって規正されると、時クロノグラフ歯車１８５が回転しても時クロノグラフ真１８２は回転しない。なお、１８０ａは時クロノグラフ車１８０のクラッチばね、１８０ｂは時クロノグラフ車１８０のクラッチばね止め座、１８０ｃは時クロノグラフ車１８０のクラッチばね受け座、１８０ｄは時クロノグラフ車１８０のクラッチばね止め座ピンである。
【０００８】
クロノグラフ機構１０２は、上記クロノグラフ関連輪列１０３に加えて、クロノグラフ作動機構１０４を有する。クロノグラフ作動機構１０４は、クロノグラフの発停に係る機構（クロノグラフ発停機構）１０５及びリセット（帰零）に係る機構（クロノグラフリセット（帰零）機構）１０６を含む。
【０００９】
クロノグラフ発停機構１０５は、発停（スタート・ストップ）ボタン１５１，第一及び第二作動レバー１５２ａ，１５２ｂ（夫々、作動レバーＡ及び作動レバーＢともいう），時分発停レバー１５３，秒関連の第一及び第二の発停レバー１５４ａ，１５４ｂ（夫々、発停レバーＡ及び発停レバーＢともいう）を含む。第一及び第二作動レバー１５２ａ，１５２ｂに関連して作動レバーばね１５２ｃが設けられ、第二発停レバー１５４ｂに関連して発停レバーばね１５４ｃが設けられる。クロノグラフ作動機構１０４は作動カム１０８及び停止レバー１０９と協働して動作し、ラチェット歯及び駆動歯を備えた作動カム１０８の回転は作動カムジャンパ１０８ａで躍制される。
【００１０】
クロノグラフ機構１０２が停止状態にある際にクロノグラフ発停機構１０５の発停ボタン１５１が押されると、クロノグラフ計時動作（表示動作を含む（以下同））の開始が指示される。発停ボタン１５１の押圧に応じて、第一及び第二作動レバー１５２ａ，１５２ｂが回動して作動カム１０８が一ステップ回転されてクロノグラフ計時動作を許容する。作動カム１０８の一ステップの回転に応じて、第一及び第二発停レバー１５４ａ，１５４ｂが回動されて、秒クロノグラフ中間車１３５の回転を許容し、秒伝え車１２９から秒クロノグラフ中間車１３５を介して秒クロノグラフ車１３０に回転が伝達されて、秒クロノグラフ車１３０の回転によるクロノグラフ秒の計時が行われる。
【００１１】
また、作動カム１０８の一ステップの回転に応じて時分発停レバー１５３が回動されて、分クロノグラフ車１４０の分クロノグラフ真１４２及び時クロノグラフ車１８０の時クロノグラフ真１８２の回転を許容し、クロノグラフ分及びクロノグラフ時の表示を行わせる。
【００１２】
一方、クロノグラフ機構１０２がクロノグラフ計時動作中にクロノグラフ発停機構１０５の発停ボタン（スタート・ストップボタン）１５１が押されると、クロノグラフ計時動作の停止が指示される。すなわち、発停ボタン１５１の押圧に応じて、第一及び第二作動レバー１５２ａ，１５２ｂが回動して作動カム１０８が更に一ステップだけ回転されてクロノグラフ計時動作を停止させる。すなわち、作動カム１０８の一ステップの回転に応じて、一方では、第一及び第二発停レバー１５４ａ，１５４ｂが回動されて秒クロノグラフ中間車１３５の回転が不能にされ、他方では、時分発停レバー１５３が回動されて、分クロノグラフ車１４０の分クロノグラフ真１４２及び時クロノグラフ車１８０の時クロノグラフ真１８２の回転が不能にされる。また、作動カム１０８の前記一ステップの回転に応じて、作動カム１０８が停止レバー１０９を作動させて、秒クロノグラフ真１３２の回転を規正する。
【００１３】
クロノグラフリセット機構１０６は、リセット（帰零）ボタン１６１と、該リセットボタン１６１のＰＰ１方向の押圧に応じてＰＥ１方向に回動される第一復針伝えレバー（「復針伝えレバーＡ」ともいう）１６２と、該第一復針伝えレバー１６２のＰＥ１方向回動によりＰＧ１方向に回動される第二復針伝えレバー（「復針伝えレバーＢ」ともいう）１６３と、該第二復針伝えレバー１６３のＰＧ１方向回動により概ねＰＫ１方向に変位される復針レバー１６４とを有する。１７１はクリックばねである。
【００１４】
なお、第一復針伝えレバー１６２はＰＥ１方向回動の際に停止レバー１０９に係合して該停止レバー１０９による秒クロノグラフ車１３０の回動規正を解除する。回動軸Ｃ１６３のまわりでＰＧ１，ＰＧ２方向に回動可能な第二復針伝えレバー１６３は、先端側腕部１６３ｂの先端部にＵ字状の復針レバー作動部１６３ｃを備え、Ｕの凹部１６３ｄでピンに係合される。
【００１５】
復針レバー１６４は、全体として鳥が飛んでいるような形状で、頭部側腕部１６４ａ，胴尾部側腕部１６４ｂ，両羽根側腕部１６４ｃ，１６４ｄを有する。復針レバー１６４の頭部側腕部１６４ａには、案内溝部１６５ａが形成され、復針レバーの胴尾部腕部１６４ｂには案内溝部１６５ａと協働して復針レバー案内部を構成する案内穴部１６５ｂが形成されている。この案内溝部１６５ａ及び案内穴部１６５ｂは、クロノグラフ地板１１１に突設された第一及び第二の復針レバーガイドピン１６６ａ，１６６ｂに嵌合している。第一及び第二の復針レバーガイドピン１６６ａ，１６６ｂの外周と案内溝部１６５ａ及び案内穴部１６５ｂの内面との間には僅かながら隙間がある。復針レバー１６４は、概ね、案内溝部１６５ａ及び案内穴部１６５ｂの延在方向に沿って、ＰＫ１，ＰＫ２方向に移動可能である。案内溝部１６５ａ及び案内穴部１６５ｂの夫々の一端には、該溝部１６５ａ及び穴部１６５ｂの他の部分よりも若干大径の溝部分及び穴部分が形成されている。従って、第一及び第二の復針レバーガイドピン１６６ａ，１６６ｂが、該大径溝部分及び大径穴部分内に位置する場合には、復針レバー１６４の向きも多少変動可能である。
【００１６】
復針レバー１６４の左羽根側腕部１６４ｃには、被作動ピンないし復針レバー作動ピン１６５ｃが突設され、該復針レバー作動ピン１６５ｃは、第二復針伝えレバー１６３の復針レバー作動部１６３ｃのＵ字状凹部１６３ｄに嵌合され、第二復針伝えレバー１６３のＰＧ１方向回動に応じて、力ＰＦ（図示せず）を受けて、ＰＫ１方向に変位される。復針レバー１６４は、また、胴尾側腕部１６４ｂの先端部に秒ハンマー部ないし秒ハートカム接触部１６７ａを備えると共に、左羽根側腕部１６４ｃの先端部に分ハンマー部ないし分ハートカム接触部１６７ｂを備え、更に、右羽根側腕部１６４ｄの先端部に時ハンマー部ないし時ハートカム接触部１６７ｃを備える。
【００１７】
リセットボタン１６１のＰＰ１方向の押圧に応じて、第二復針伝えレバー１６３がＰＧ１方向に回動されると、復針レバー作動ピン１６５ｃで復針レバー作動部１６３ｃによる力ＰＦ（図示せず）を受け、案内溝１６５ａ及び案内穴１６５ｂでガイドピン１６６ａ及び１６６ｂに案内されてＰＫ１方向に変位された復針レバー１６４は、秒ハートカム接触部１６７ａで秒ハートカム１３４に当接ないし圧接すると共に分ハートカム接触部１６７ｂで分ハートカム１４４に当接ないし圧接し、時ハートカム接触部１６７ｃで時ハートカム１８４に当接ないし圧接する。この当接状態ないし圧接状態が達成される際には、ガイドピン１６６ａ及び１６６ｂが、丁度、案内溝１６５ａ及び案内穴１６５ｂの大径の溝部分及び大径の穴部分内に位置するので、復針レバー１６４の接触部１６７ａ，１６７ｂ，１６７ｃが対応するハートカム１３４，１４４，１８４の最小径部に丁度当接ないし圧接する状態が実現される。このとき、第二復針伝えレバー１６３の復針レバー作動部１６３ｃが復針レバー作動ピン１６５ｃを介して復針レバー１６３を押す力ＰＦ（図示せず）は、丁度、秒ハートカム１３４が秒ハートカム接触部１６７ａで復針レバー１６４を押す力ＰＦ１（図示せず）と、分ハートカム１４４が分ハートカム接触部１６７ｂで復針レバー１６４を押す力ＰＦ２（図示せず）と、時ハートカム１８４が時ハートカム接触部１６７ｃで復針レバー１６４を押す力ＰＦ３（図示せず）との合力と丁度釣り合い、且つ四つの力ＰＦ，ＰＦ１，ＰＦ２，ＰＦ３（いずれも図示せず）が復針レバー１６４に与えるトルクは、実際上釣り合うか、多少のアンバランスがあっても、案内溝１６５ａ及び案内穴１６５の大径の溝部分及び大径の穴部分の周壁がガイドピン１６６ａ及び１６６ｂを支える力に起因するトルクで相殺され、復針レバー１６４は静止状態に保たれ得る。この状態では、復針レバー１６４は、秒ハートカム接触部１６７ａ、分ハートカム接触部１６７ｂ及び時ハートカム接触部１６７ｃで、秒ハートカム１３４、分ハートカム１４４及び時ハートカム１８４を介して、秒クロノグラフ車１３０、分クロノグラフ車１４０及び時クロノグラフ車１８０を帰零させる。すなわち、特許文献１のクロノグラフ時計１０１では、以上のようにして、復針レバー１６４自体の位置が自動的に位置調整（セルフアラインメント）され得るので、三つのハートカム１３４，１４４，１８４を確実に且つ同時に位置調整し得る。
【００１８】
しかしながら、この特許文献１で提案のクロノグラフ時計は、三つ（時，分，秒）のクロノグラフ指針を同時に帰零させるものであって、クロノグラフ指針が二つ（分，秒）である場合には、適用できない。すなわち、特許文献１で提案されているクロノグラフ時計では復針レバーが三つのハートカムから受ける力が、該復針レバーに加えられる力と釣合うので、該特許文献１で提案されているクロノグラフ時計の具体的な構造をそのままにして、例えば、時クロノグラフ真や時クロノグラフ指針を取り除くと、復針レバーが受ける力のバランスが取れなくなり、自己位置調整機能（セルフアラインメント機能）が働かなくなる。
【先行技術文献】
【特許文献】
【００１９】
【特許文献１】特開２００４−２９４２７７号公報
【非特許文献】
【００２０】
【非特許文献１】スイス時計大学編「時計学理論（The Theory of Horology）」英語版第２版，２００３年４月，ｐ２３２，２３３，２３６
【発明の概要】
【発明が解決しようとする課題】
【００２１】
本発明は前記した点に鑑みなされたものであって、その目的とするところは、クロノグラフ指針が分秒二つだけからなる場合において、確実に自己位置調整機能（セルフアラインメント機能）を有し得るクロノグラフ機構及び該機構を備えたクロノグラフ時計を提供することにある。
【課題を解決するための手段】
【００２２】
本発明のクロノグラフ機構は、前記目的を達成すべく、分ハートカム及び秒ハートカムと、リセットボタンの押圧に応じて回動される復針伝えレバー構造体と、中心軸線のまわりで回動可能な復針レバー回動軸、該復針レバー回動軸と同心被動歯車並びに復針レバー回動軸の両側に延び被動歯車の回動に応じて復針レバー回動軸のまわりで回動される一対の復針レバー部であって先端部の側面に分及び秒ハートカムを叩いてクロノグラフ分針及びクロノグラフ秒針を帰零させる分ハンマー及び秒ハンマーを備えたものを具備する復針レバー構造体と、前記復針伝えレバー構造体の回動に応じて回動され被動歯車を回動させる駆動歯車を備えた復針レバー作動機構とを有するクロノグラフ機構であって、復針レバー構造体の復針レバー回動軸はその回動中心軸線が揺動可能な揺動回動軸からなり、リセットボタンの押圧に応じて復針伝えレバー構造体及び復針レバー作動機構を介して被動歯車が回動された際に、分ハンマー及び秒ハンマーのうちの一方のハンマーが対応する分ハートカム又は秒ハートカムに当接し他方のハンマーと対応する分ハートカム又は秒ハートカムとの間に小間隙が残る場合に、当接した前記一方ハンマーが対応するハートカムを押す力の反力と駆動歯車が噛合部において被動歯車に加える回動力との合力の作用下で前記揺動回動軸が揺動されて前記他方のハンマーと対応するハートカムとの間の前記小間隙がなくなるように、前記揺動回動軸の揺動を許容する弾性的な復針レバー押さえ手段を更に有する。
【００２３】
本発明のクロノグラフ機構では、特に、「復針レバー構造体の復針レバー回動軸はその回動中心軸線が揺動可能な揺動回動軸からなり」、且つ「揺動回動軸の揺動を許容する弾性的な復針レバー押さえ手段が設けられている」ので、「リセットボタンの押圧に応じて、復針伝えレバー構造体及び復針レバー作動機構を介して被動歯車が回動された際に、分ハンマー及び秒ハンマーのうちの一方のハンマーが対応する分ハートカム又は秒ハートカムに当接し他方のハンマーと対応する分ハートカム又は秒ハートカムとの間に小間隙が残る場合に、当接した前記一方ハンマーが対応するハートカムを押す力の反力と駆動歯車が噛合部において被動歯車に加える回動力との合力の作用下で前記揺動回動軸が揺動されて、前記他方のハンマーと対応するハートカムとの間の前記小間隙がなくなる」。
【００２４】
即ち、本発明のクロノグラフ機構では、「復針レバー構造体の復針レバー回動軸はその回動中心軸線が揺動可能な揺動回動軸からなり」、且つ「揺動回動軸の揺動を許容する弾性的な復針レバー押さえ手段が設けられている」ので、「当接した前記一方ハンマーが対応するハートカムを押す力の反力と駆動歯車が噛合部において被動歯車に加える回動力との合力が揺動回動軸を揺動させて前記他方のハンマーを対応するハートカムに圧接させて前記他方のハンマーに対応するハートカムのクロノグラフ車を自動的に帰零させる」セルフアラインメント（自己位置調整）機能が備わっていることになる。それ故、本発明のクロノグラフ機構では、製造公差を考慮してもハンマーの調整が実際上不要である。
【００２５】
ここで、「復針レバー押さえ手段」について、「弾性的」であるとは、復針レバー押さえ手段が、揺動回動軸を支えつつ該揺動回動軸の揺動を許容する程度に非剛性であることをいう。また、この「復針レバー押さえ手段」について、「弾性的」であるとは、復針レバー押さえ手段が、更に、帰零動作が完了した後強制帰零の解除（ハンマーのハートカムからの分離）が行われると、揺動回動軸を揺動状態から非揺動状態に戻す（弾性的に復元させる）働きをすることをいう。
【００２６】
また、「復針レバー回動軸」について、「揺動」とは、典型的には、該回動軸の中心軸線の向きが変るように、該回動軸の中心軸線が傾く（傾動する）ことをいう。但し、ここで、「揺動」は、傾動に限られず、中心軸線の向きが一定に保たれたまま該中心軸線の位置が例えば曲線状に平行移動（例えば、回動軸が両端のほぞ部で長穴に沿って移動）してもよい。更に、回動軸の中心軸線の位置が変りつつ且つ向きも変ってもよい。
【００２７】
本発明のクロノグラフ機構では、典型的には、前記弾性的な復針レバー押さえ手段が、揺動された前記揺動回動軸を非揺動位置に復帰させる作用をする。
【００２８】
その場合、強制的な帰零が解除されると、復針レバー構造体の復針レバー回動軸が、復針レバー押さえ手段の弾性力の作用下で、揺動位置から非揺動位置に戻る。
【００２９】
本発明のクロノグラフ機構では、典型的には、前記弾性的な復針レバー押さえ手段が、基端部で駆動歯車の回動軸に取付けられたフォーク状の揺動回動軸押さえからなり、フォークの腕部を構成する一対のアーム部が弾性を有する。
【００３０】
その場合、復針レバー回動軸の一端側のほぞ部を穴石の如き軸受で支持し他端側のほぞ部をフォーク状の揺動回動軸押さえで回動可能に且つ弾性的に支持することにより、復針レバー回動軸を傾動可能に支持して、セルフアラインメント可能にし得る。
【００３１】
本発明のクロノグラフ機構では、典型的には、前記揺動回動軸の揺動は該回動軸の回動中心軸線が受部材に対して傾動することからなる。
【００３２】
その場合、比較的簡単な構造でセルフアラインメント可能にし得る。受部材は、地板や受等からなる。但し、前述のように、前記揺動回動軸の揺動は、傾動の代わりに、中心軸線の向きが一定に保たれたまま該中心軸線の位置が例えば曲線状に平行移動（例えば、回動軸が両端のほぞ部で長穴に沿って移動）するものであってもよい。更に、回動軸の中心軸線の位置が変りつつ且つ向きも変るものであってもよい。
【００３３】
本発明のクロノグラフ機構では、典型的には、復針伝えレバー構造体が、リセットボタンの押圧に応じて回動される第一の復針伝えレバーと該第一の復針伝えレバーの回動に応じて回動される第二の復針伝えレバーとを有する。
【００３４】
その場合、リセット（帰零）ボタンの押圧に応じて、第一の復針伝えレバーが回動され、該第一の復針伝えレバーの回動に応じて第二の復針伝えレバーが回動されることにより、復針レバー作動機構の駆動歯車が回動され、該駆動歯車が被動歯車を回動させて、復針レバー構造体に帰零動作を行わせる。
【００３５】
本発明のクロノグラフ機構では、典型的には、第二の復針伝えレバーが扇形歯車を備え、復針レバー作動機構の駆動歯車が該扇形歯車に噛合している。
【００３６】
その場合、リセット（帰零）ボタンの押圧に伴う第一の復針伝えレバーの回動に応じて第二の復針伝えレバーの扇形歯車が回動されることにより、復針レバー作動機構の駆動歯車が回動され、該駆動歯車が被動歯車を回動させて、復針レバー構造体に帰零動作を行わせる。但し、駆動歯車が扇形歯車からなっていてもよい。
【００３７】
本発明のクロノグラフ機構では、典型的には、前記リセットボタンがクロノグラフ時計の４時の位置にあり、秒ハートカムが時計の中心にあって、分ハートカムが時計の８時から９時の間の位置にある。
【００３８】
その場合、従来の時分秒のクロノグラフ表示をするクロノグラフ時計から時クロノグラフ表示を取り除いたのと実際上同様な外観を有するので、その内部構造も最低限の変更で実現され得る。
【００３９】
本発明のクロノグラフ時計は、上述のようなクロノグラフ機構を備える。
【００４０】
従って、本発明のクロノグラフ時計では、クロノグラフ指針が分秒二つだけからなる場合において、確実に自己位置調整機能（セルフアラインメント機能）を有し得るので、ハンマーの調整が実際上不要である。
【図面の簡単な説明】
【００４１】
【図１】本発明の好ましい一実施例のクロノグラフ機構を備えた本発明の好ましい一実施例のクロノグラフ時計の平面説明図。
【図２】図１のクロノグラフ時計のクロノグラフ機構のうち復針伝え機構及び復針レバーと分ハートカム及び秒ハートカムとの関係を拡大して示した平面説明図（クロノグラフ分及びクロノグラフ秒の帰零動作が完了した状態で間隙が誇張して示されている）。
【図３】図1のクロノグラフ機構の一部についての断面説明図。
【図４】図１のクロノグラフ時計の概観の説明図。
【図５】図１のクロノグラフ機構のうち図２の復針伝え機構及び復針レバーと分ハートカム及び秒ハートカムとの動作状態を示したもので、（ａ）は帰零動作開始前の状態を示した説明図、（ｂ）は帰零動作の途中の状態を示した説明図、（ｃ）はセルフアラインメント動作が行われた状態を示した説明図。
【図６】図１のクロノグラフ機構のうち復針伝え機構及び復針レバーの動作状態を断面図で示したもので、（ａ）は帰零動作開始前の状態を示した断面説明図、（ｂ）はセルフアラインメントを伴う帰零動作が行われた状態を示した断面説明図。
【図７】従来のクロノグラフ時計についての図１と同様な平面説明図。
【図８】従来のクロノグラフ時計についての断面説明図。
【図９】従来のクロノグラフ時計についての図４と同様な概観説明図。
【発明を実施するための形態】
【００４２】
本発明の好ましい一実施の形態を添付図面に示した好ましい実施例に基づいて説明する。
【実施例】
【００４３】
本発明の好ましい一実施例のクロノグラフ時計１は、図４の外観図に示したように、中心軸線Ｃのまわりで回転するクロノグラフ秒針３１と、概ね８時の位置において中心軸線ＣＭのまわりで回転するクロノグラフ分針４１とを有する。クロノグラフ時計１は、また、通常の時刻表示を行う小秒針８１と分針８２と時針８３とを有すると共に日表示８４を有する。この例では、小秒針８１は、３時の位置にある。なお、１１はスタート・ストップ（発停）ボタン、２１はリセット（帰零）ボタン、８５はリュウズである。
【００４４】
クロノグラフ時計１のクロノグラフ機構２は、図４に加えて図１にその一部を平面図で示したように、スタート・ストップ（発停）動作に係るクロノグラフスタート・ストップ（発停）機構３とリセット（帰零）動作に係るクロノグラフリセット（帰零）機構ないしクロノグラフ帰零構造４とを有する。
【００４５】
概ね４時半の位置に回転中心Ｃ８がある作動カム８は、外周に偶数個のラチェット歯８ａを備えると共に一側面８ｂにその半数の三角形の駆動歯８ｃを備える。作動カム８の回転位置は、ラチェット歯８ａに対して躍制動作を行う作動カムジャンパ８ｊによって規定される。
【００４６】
クロノグラフ時計１のクロノグラフ計時が停止されている際に、クロノグラフ機構２のスタート・ストップボタン１１がＡ１方向に押圧されると、第一作動レバー（通常は、作動レバーＡと称する）１２が想像線１２ｉで示したように回動中心Ｃ１２のまわりでＢ１方向に回動され、それに応じて第二作動レバー（通常は、作動レバーＢと称する）１３が想像線１３ｉで示したように揺動され、先端の作動爪部１４で作動カム８のラチェット歯８ａに係合して作動カム８をラチェット歯８ａの一歯分だけ回転中心Ｃ８のまわりでＤ１方向に回転させる。作動カム８の回転に応じて、該作動カム８の駆動歯８ｃによってクロノグラフ発停機構３の発停レバー４８（図３）その他の関連部材（図示せず）が作動され、クロノグラフ計時が開始又は再開され、クロノグラフ時計１のクロノグラフ秒針３１及びクロノグラフ分針４１の運針が行われる。
【００４７】
一方、クロノグラフ計時が行われてクロノグラフ秒針３１及びクロノグラフ分針４１の運針が行われている際に、スタート・ストップボタン１１が再度Ａ１方向に押圧されると、第一作動レバー１２が想像線１２ｉで示したように回動中心Ｃ１２のまわりでＢ１方向に回動され、第二作動レバー１３が想像線１３ｉで示したように揺動され、先端の作動爪部１４で作動カム８のラチェット歯８ａに係合して作動カム８をラチェット歯８ａの一歯分だけ更にＤ１方向に回転させる。作動カム８の回転に応じて、該作動カム８の駆動歯８ｃによりクロノグラフ発停機構３の発停レバー４８（図３）その他の関連部材（図示せず）が作動され、クロノグラフ計時が停止され、クロノグラフ時計１のクロノグラフ秒針３１及びクロノグラフ分針４１の運針が停止される。
【００４８】
以上のようなクロノグラフ発停機構３による発停動作自体は、例えば、特許文献１に記載され、且つ部分的にはこの明細書の先行技術の説明の欄で図７や図８として示したとおりであり、一般的には周知であるので、ここでは、関連機構の図示及び説明は省略する。
【００４９】
次に、クロノグラフ機構２のうちクロノグラフリセット（帰零）機構４について、しかも該クロノグラフリセット機構４のうち帰零指示に係る強制帰零機構５に限って、説明する。
【００５０】
図１からわかるとおり、クロノグラフ秒針３１が取付けられた秒クロノグラフ真３２には秒ハートカム３３が取付けられ、クロノグラフ分針４１が取付けられた分クロノグラフ真４２には分ハートカム４３が取付けられている。なお、３４は秒クロノグラフ車、４４は分クロノグラフ車である。
【００５１】
クロノグラフ帰零機構ないしクロノグラフ帰零構造４は、秒及び分ハートカム３３，４３に加えて、復針伝えレバー構造体２０と、復針レバー構造体５０と、復針レバー作動機構６０と、弾性的な復針レバー押さえ手段７０とを有する。
【００５２】
復針伝えレバー構造体２０は、この例では、第一の復針伝えレバー２２と第二の復針伝えレバー２３とを含む。
【００５３】
第一の復針伝えレバー２２（通常は、復針伝えレバーＡと称する）は、ほぼ５時の位置にある中心軸線Ｃ２２のまわりでＥ１，Ｅ２方向に回動可能で、リセットボタン２１に対面する位置に基端側腕部２２ａを備える。第一の復針伝えレバー２２は、リセットボタン２１がＰ１方向に押圧されると、図１において実線で示した位置から想像線２２ｉで示した位置にＥ１方向に回動される。
【００５４】
第二の復針伝えレバー２３（入力側部分は、通常、復針伝えレバーＢと称されるものと同様な構造を有する）は、ほぼ６時半の位置にある中心軸線Ｃ２３のまわりでＧ１，Ｇ２方向に回動可能で、入力側腕部２３ａ及び出力側腕部２３ｃを有する。第二の復針伝えレバー２３は、入力側腕部２３ａの長穴２３ｂで第一の復針伝えレバー２２の腕部２２ｂのピン２２ｃに係合している。ここで、ピン２２ｃは、ほぼ６時の位置にある。第二の復針伝えレバー２３は、リセットボタン２１のＰ１方向押圧に応じて第一の復針伝えレバー２２が実線位置からＥ１方向に回動されると、図１において実線で示した位置から想像線２３ｉで示した位置にＧ１方向に回動される。第二の復針伝えレバー２３は、出力側腕部２３ｃの先端部に扇形歯車２３ｄを備える。
【００５５】
復針レバー構造体５０は、揺動回動軸としての傾動回動軸５１と、被動歯車５２と、一対の復針レバー部５３，５４とを有する。
【００５６】
傾動回動軸５１は、揺動としての傾動が可能で且つ回動可能である。被動歯車５２は、該傾動回動軸５１と同心で該傾動回動軸５１の回動中心軸線Ｃ５１のまわりで回転される。被動歯車５２は、復針レバー部５３，５４に固定されている限り、傾動回動軸５１に固定されていても該回動軸５１に対して相対回動可能であってもよい。回動中心軸線Ｃ５１自体は、揺動可能である。復針レバー部５３，５４は、先端部５３ａ，５４ａの側面５３ｂ，５４ｂに分及び秒ハートカム４３，３３を叩いてクロノグラフ分針４１及びクロノグラフ秒針３１を帰零させる分ハンマー５５及び秒ハンマー５６を備える。
【００５７】
復針レバー作動機構６０は、中心軸線Ｃ６２のまわりで回動される回動軸６２に取付けられた駆動歯車６１を有する。駆動歯車６１は、復針レバー構造体５０の被動歯車５２に噛合していると共に、復針伝えレバー構造体２０の第二の復針伝えレバー２３の扇形歯車２３ｄに噛合している。
【００５８】
従って、リセットボタン２１の押圧に応じて、第二の復針伝えレバー２３がＧ１，Ｇ２方向に回動されると、復針レバー作動機構６０の駆動歯車６１がＨ１，Ｈ２方向に回動されて、被動歯車５２及び復針レバー部５３，５４を含む復針レバー構造体５０を傾動回動軸５１のまわりで、Ｊ１，Ｊ２方向に回動させる。
【００５９】
復針レバー構造体５０の揺動回動軸５１は、一端のほぞ部５１ａで軸受ないし穴石９ａを介してクロノグラフ地板９に回転自在に支持され、他端の大径ほぞ部５１ｂにおいて、復針レバー押さえ７０によって弾性的に支持される。
【００６０】
弾性的な復針レバー押さえ手段としての復針レバー押さえ７０は、基端部７１で駆動歯車６１の回動軸６２に取付けられたフォーク状体ないしフォーク７２からなり、フォーク７２の腕部を構成する一対のアーム部７３，７４が弾性を有し、該弾性腕部７３，７４の先端部７５，７６で軸受として揺動回動軸５１の端部のほぞ部５１ｂを抱え込むように回転自在に支持している。なお、先端部７５，７６は、ほぞ部５１ｂの周面５１ｃに対面する面に円弧状凹部７５ａ，７６ａを有する。
【００６１】
次に、以上の如く構成されたクロノグラフ時計１のクロノグラフ機構２におけるクロノグラフリセット機構４の強制帰零機構５の操作及び動作について、図１〜図４に加えて図５の(ａ)〜（ｃ）並びに図６の(ａ)及び（ｂ）に基づいて、詳しく説明する。
【００６２】
スタート・ストップボタンの押圧により、クロノグラフ機構２の発停機構３が動作して、クロノグラフ計時を行ったり該クロノグラフ計時が停止されている場合には、リセットボタン２１が非押圧状態であって、復針伝えレバー構造体２０の第一の復針伝えレバー２２がＥ２方向に回動された位置（図１の実線位置）を採り、第二の復針伝えレバー２３がＧ２方向に回動された位置（図１の実線位置）を採る。従って、復針レバー作動機構６０の駆動歯車６１が、図５の(ａ)に示したように、Ｈ２方向に回動した非帰零作動位置を採り、復針レバー構造体５０の被動歯車５２及び復針レバー部５３，５４が、Ｊ２方向に回動した非帰零作動位置を採る。その結果、分ハンマー５５及び秒ハンマー５６は、対応する分ハートカム４３及び秒ハートカム３３から離れた位置にあって、分クロノグラフ真４２及び秒クロノグラフ真３２の回転を規制しない。
【００６３】
この状態では、図３や図６の(ａ）に示したように、復針レバー構造体５０の傾動回動軸５１は、クロノグラフ地板９の軸受９ａと復針レバー押さえ７０のフォーク状体７２のアーム部７３，７４の先端部７５，７６の円弧状部７５ａ，７６ａとによって実際上回転自在に支持され、クロノグラフ地板９に対して実際上垂直な非傾動中心軸線Ｃ５１ｎの周りでＪ２方向に回動される。すなわち、復針レバー押さえ７０は、基端部７１で回動軸６２に取付けられたフォーク状体７２がアーム部７３，７４の先端円弧状部７５ａ，７６ａで傾動回動軸５１の大径ほぞ部５１ｂに係合されているので、回動軸６２，５１間の間隔が実際上一定に保たれるから、傾動回動軸５１の中心軸線Ｃ５１はクロノグラフ地板９に対して垂直な一定の状態Ｃ５１ｎ（非揺動位置としての非傾動位置Ｑｎ）に保たれ得る。
【００６４】
この状態（典型的には、停止状態）において、リセットボタン２１がＰ１方向に押圧されると、復針伝えレバー構造体２０の第一の復針伝えレバー２２がＥ１方向に回動され、第二の復針伝えレバー２３がＧ１方向に回動され、該第二の復針伝えレバー２３の扇形歯車２３ｄもＧ１方向に回動されるので、復針レバー作動機構６０の駆動歯車６１がＨ１方向に回動され、復針レバー構造体５０の被動歯車５２及び復針レバー部５３，５４が、Ｊ１方向に回動されて、分及び秒ハンマー５５，５６のうちのいずれか一方が先に対応するハートカム４３，３３に当る。
【００６５】
ここでは、図５の（ｂ）に示したように、秒ハンマー５６が先に対応する秒ハートカム３３に当るとする。このように、秒ハンマー５６が秒ハートカム３３に当った状態では、図５の（ｂ）に示したように、分ハンマー５５と分ハートカム４３との間には、間隙ｇｍが残る。従って、秒ハートカム３３のある秒クロノグラフ真３２に取付けられたクロノグラフ秒針３１が帰零されるけれども、分ハートカム４３のある分クロノグラフ真４２に取付けられたクロノグラフ分針４１は、完全には帰零されない。
【００６６】
部品の製造公差を考慮すると、部品の単純な組付けを行うだけでは、一方のハンマーが対応するハートカムを叩いて帰零させても他方のハンマーと対応するハートカムとの間に間隙ｇｍが残るような状態は、通常は、実際上避け難い。
【００６７】
なお、図５の（ｂ）の状態においては、復針レバー構造体５０の傾動回動軸５１は、復針レバー押さえ７０のフォーク状体７２のアーム部７３，７４の先端円弧状部７５ａ，７６ａに係合された状態に保たれ得るから、傾動回動軸５１の回転中心軸線Ｃ５１は、図６の(ａ)に示したように、クロノグラフ地板９に対して垂直な状態Ｃ５１ｎに保たれる。
【００６８】
ところで、この図５の(ｂ)の状態では、秒ハンマー５６が秒ハートカム３３に圧接されて該秒ハートカム３３をその秒クロノグラフ真３２の回動中心軸線Ｃに向かう方向に押していることから、秒ハンマー５６は、該押圧力の反作用として力Ｆ１を秒ハートカム３３から受ける。この力Ｆ１は、復針レバー構造体５０の復針レバー部５３，５４の延在方向に対して直交する向きである。
【００６９】
また、この図５の（ｂ）の状態では、復針レバー作動機構６０の駆動歯車６１に噛合した復針レバー構造体５０の被動歯車５２が噛合部においてＪ１方向の回転駆動力を受ける際に、実際上接線方向に力Ｆ２を受ける。
【００７０】
その結果、図５の（ｂ）のように、秒ハンマー５６が秒ハートカム３３を帰零させた状態（分ハンマー５５と分ハートカム４３との間には間隙ｇｍが残っている状態（分ハートカム４３が帰零位置を採る場合には間隙ｇｍが残る状態））では、復針レバー構造体５０には、全体として、力Ｆ１，Ｆ２のベクトル和である合力ＦＡが働く。すなわち、図５の（ｂ）に示したこの状態では、分ハンマー５５には分ハートカム４３からの力が働いていないので、復針レバー部５３，５４の延在方向に直交する方向に働く力は、秒ハートカム３３が秒ハンマー５６を押す力Ｆ１だけである（但し、歯車６１，５２の噛合に係る力は除く）。
【００７１】
この力ＦＡの故に、傾動回動軸５１は、図６の（ｂ）に示したように、中心軸線Ｃ５１が非傾動状態の線Ｃ５１ｎから傾動状態の線Ｃ５１ｓへとＦＡ方向に傾いた揺動位置としての傾動位置Ｑｓ（図６の（ｂ）では角度θだけ傾いている）を採り、このように傾いた傾動回動軸５１の大径ほぞ部５１ｂが復針レバー押さえ７０のフォーク状体７２のアーム部７３，７４の先端部７５，７６をＦＡ方向に押す。
【００７２】
復針レバー押さえ７０のフォーク状体７２のアーム部７３，７４は弾性を有するので、傾動回動軸５１の大径ほぞ部５１ｂから力ＦＡを受けるアーム部７４が多少逃げるように撓み、傾動回動軸５１の大径ほぞ部５１ｂから力ＦＡの方向に変位され、復針レバー部５３及びその先端の一側部の分ハンマー５５が分ハートカム４３に圧接されて、分ハートカム４３を帰零させる（図５の（ｃ））。
【００７３】
すなわち、この場合、分ハンマー５５と（帰零位置を採る）分ハートカム４３との間に間隙ｇｍが残る限り、力Ｆ１に起因するアンバランスな力ＦＡが復針レバー構造体５０の傾動回動軸５１に働くので、該アンバランスな力ＦＡに従って傾動回動軸５１が変位されて、分ハートカム４３の帰零が実際上自動的に行われる。即ち、復針レバー構造体５０が、秒ハートカム３３及び分ハートカム４３に対して自動的に整列されるセルフアラインメント（自己位置調整ないし自己位置合わせ）が達成される。
【００７４】
なお、このようなセルフアラインメントによる帰零が行われた状態では、図２に拡大して示したように、復針レバー押さえ７０のフォーク状体７２の一方のアーム部７４を弾性的に撓ませつつ傾動回動軸５１がＦ１方向に変位していることから、傾動回動軸５１の大径ほぞ部５１ｂと他方のアーム部７３の先端部７５との間、より詳しくは傾動回動軸５１の大径ほぞ部５１ｂの周面５１ｃと該先端部７５の円弧状凹部７５ａとの間には、多少間隙ｇｓが生じることになる。
【００７５】
ここで、フォーク状体７２のアーム部７４に生じた弾性変形力は、リセットボタン２１の押圧を解除した状態でも元に戻らない程度には十分に小さい。
【００７６】
なお、以上においては、分ハンマー５５と分ハートカム４３との間の圧接が生じる前に秒ハンマー５６と秒ハートカム３３との間に圧接が生じて、分ハンマー５５と分ハートカム４３との間に当初は間隙ｇｍが残る例について説明したけれども、その代わりに、逆であってもよい。即ち、秒ハンマー５６と秒ハートカム３３との間の圧接が生じる前に分ハンマー５５と分ハートカム４３との間に圧接が生じて、秒ハンマー５６と秒ハートカム３３との間に当初間隙ｇｍが残る場合にも、同様に機能する。
【００７７】
以上の如く構成されたクロノグラフ帰零機構４の強制帰零機構５では、形状等を多少変更すれば分クロノグラフ車４４の位置は概ね８時から９時の間で調整可能であることを考慮して図１と図７とを対比すればわかるように、時分秒の三つのクロノグラフ指針を強制帰零させる場合と比較して、概ね時クロノグラフ表示並びに時分秒の三つのクロノグラフ指針の帰零に係る第二の復針伝えレバー及び復針レバーが占有していた領域に、第二復針伝えレバー２３、復針レバー作動機構６０及び復針レバー押さえ７０並びに復針レバー構造体５０を配置するだけで実際上他の時計部品の形状や配置を設計し直すことなくして、時分秒の三つのクロノグラフ表示用のクロノグラフ時計を分秒の二つのクロノグラフ表示用のクロノグラフ時計に最低限のコストで変更することも可能である。
【符号の説明】
【００７８】
１  クロノグラフ時計
２  クロノグラフ機構
３  クロノグラフスタート・ストップ（発停）機構
４  クロノグラフリセット（帰零）機構（クロノグラフ帰零構造）
５  強制帰零機構
８  作動カム
８ａ  ラチェット歯
８ｂ  側面
８ｃ  駆動歯
８ｊ  作動カムジャンパ
９  クロノグラフ地板
９ａ  軸受
１１  スタート・ストップ（発停）ボタン
１２  第一作動レバー（作動レバーＡ）
１２ｉ  回動位置
１３  第二作動レバー（作動レバーＢ）
１３ｉ  回動位置
１４  作動爪部
２０  復針伝えレバー構造体
２１  リセット（帰零）ボタン
２２  第一の復針伝えレバー（復針伝えレバーＡ）
２２ａ  基端側腕部
２２ｂ  腕部
２２ｃ  ピン
２２ｉ  回動位置
２３  第二の復針伝えレバー（復針伝えレバーＢ）
２３ａ  入力側腕部
２３ｂ  長穴
２３ｃ  出力側腕部
２３ｄ  扇形歯車
３１  クロノグラフ秒針
３２  秒クロノグラフ真
３３  秒ハートカム
３４  秒クロノグラフ車
４１  クロノグラフ分針
４２  分クロノグラフ真
４３  分ハートカム
４４  分クロノグラフ車
４８  発停レバー
５０  復針レバー構造体
５１  傾動回動軸（揺動回動軸）
５１ａ  小径ほぞ部
５１ｂ  大径ほぞ部
５１ｃ  周面
５２  被動歯車
５３，５４  復針レバー
５３ａ，５４ａ  先端部
５３ｂ，５４ｂ  側面
５５  分ハンマー
５６  秒ハンマー
６０  復針レバー作動機構
６１  駆動歯車
６２  回動軸
７０  復針レバー押さえ（弾性的な復針レバー押さえ手段）
７１  基端部
７２  フォーク状体
７３，７４  アーム部
７５，７６  先端部
７５ａ，７６ａ  円弧状凹部
８１  小秒針
８２  分針
８３  時針
８５  リュウズ
Ａ１  押圧方向
Ｂ１，Ｄ１，Ｅ１，Ｅ２，Ｇ１，Ｇ２，Ｈ１，Ｈ２，Ｊ１，Ｊ２  回動方向
Ｃ，ＣＭ，Ｃ８，Ｃ１２，Ｃ２２，Ｃ２３，Ｃ５１，Ｃ６２  中心軸線
Ｃ５１ｎ  非傾動中心軸線
Ｃ５１ｓ  傾動中心軸線
ｇｍ，ｇｓ  間隙
Ｑｎ  非傾動位置（非揺動位置）
Ｑｓ  傾動位置（揺動位置）
【図１】
2010261815.tif 000003
【図２】
2010261815.tif 000004
【図３】
2010261815.tif 000005
【図４】
2010261815.tif 000006
【図５】
2010261815.tif 000007
【図６】
2010261815.tif 000008
【図７】
2010261815.tif 000009
【図８】
2010261815.tif 000010
【図９】
2010261815.tif 000011